(57)【特許請求の範囲】
【請求項１】
含まれる成分の割合が互いに異なる複数の液状体を順次投入し、投入された液状体を凝固させてそれぞれの液状体から製品を製造する設備の、生産計画を立案する生産計画立案装置であって、
前記製品ごとに、製品に含まれる各成分の量の目標値と許容範囲とを記憶している目標値記憶手段と、
後に投入しようとする液状体に含まれるある成分の目標値と、先に投入される液状体に含まれる当該ある成分の量とに基づいて、当該後に投入しようとする液状体を投入した場合に製造されると推定される製品であって、前記許容範囲に入らない製品の量である製品ロス量を算出する製品ロス量算出手段と、
前記製品ロス量算出手段に前記後に投入しようとする液状体に含まれる成分に基づく製品ロス量を成分ごとに算出させ、当該製品ロス量が最も大きくなる成分を、成分調整を行うべき第１成分として選択するボトルネック成分選択手段と
を備えることを特徴とする生産計画立案装置。
【請求項２】
前記生産計画立案装置は、更に、後に投入しようとする液状体に含まれる前記第１成分の量を一定量変更した場合に、当該後に投入しようとする液状体に含まれる量が変動する成分である第２成分とその変動値とを記憶している変動値記憶手段と、
前記第１成分の量を当該成分の前記許容範囲内の所定量に変更した場合に、当該所定量と前記変動値とに基づいて前記第２成分の変動後の量を算出する変動量算出手段と、
前記製品ロス量算出手段に、前記変動後の量を第２成分の目標値として第２成分に基づく製品ロス量を算出させ、前記所定量を第１成分の目標値として第１成分に基づく製品ロス量を算出させ、当該第２成分に基づく製品ロス量が当該第１成分に基づく製品ロス量より少ない場合に、前記所定量を前記第１成分の量と決定するボトルネック成分量決定手段と
を備えることを特徴とする請求項１に記載の生産計画立案装置。
【請求項３】
含まれる成分の割合が互いに異なる複数の液状体を順次投入し、投入された液状体を凝固させてそれぞれの液状体から製品を製造する設備の、生産計画を立案する装置であって、前記製品ごとに、製品に含まれる各成分の量の目標値と許容範囲とを記憶している目標値記憶手段を備える生産計画立案装置で用いられる生産計画方法あって、
後に投入しようとする液状体に含まれるある成分の目標値と、先に投入される液状体に含まれる当該ある成分の量とに基づいて、当該後に投入しようとする液状体を投入した場合に製造されると推定される製品であって、前記許容範囲に入らない製品の量である製品ロス量を算出する製品ロス量算出ステップと、
前記製品ロス量算出ステップで前記後に投入しようとする液状体に含まれる成分に基づく製品ロス量を成分ごとに算出させ、当該製品ロス量が最も大きくなる成分を、成分調整を行うべき第１成分として選択するボトルネック成分選択ステップと
を備えることを特徴とする生産計画立案方法。
【発明の詳細な説明】
【技術分野】
【０００１】
本発明は、複数種類の製品を製造する場合の生産計画技術に関し、特に、連続生産を行う工程において生産効率の良い計画を立案する技術に関する。
【背景技術】
【０００２】
複数種類の製品を複数工程によって生産する場合の生産計画は、納期を遵守することはもちろん、生産性を最大化するものであることが望まれる。このような複数工程から成る生産ラインとしては、例えば鉄鋼・銅板・アルミ板等の金属素材系工場の生産ラインが挙げられる。
【０００３】
このような複数工程の中には、成分調整した（溶解した液状体）を凝固させて製品を生産する工程がある。そして、このような液状体を凝固させて製品を生産する設備においては、生産効率等の観点から、設備に液状体を連続して投入して製品を生産するものがある。例えば、連続鋳造工程であり、溶鋼を鋳造設備に連続して投入して製品を生産する。
【０００４】
このような設備において複数種類の製品を生産する場合には、それぞれの製品に応じた成分の溶鋼を連続して投入することとなる。この場合、境界部では、先に投入された鋳造品種の溶鋼と、その後で投入された鋳造品種の溶鋼とが混ざり合う。
【０００５】
従って、先に投入された鋳造品種と後に投入された鋳造品種との成分量に差がある場合には、この混ざり合った部分は、どちらの鋳造品種の成分規格値からも外れたものとなってしまう可能性が高い。すなわち、この混ざり合った部分から生産した製品は、製品としては出荷できないものとなってしまう。
【０００６】
そこで、この混ざり合って成分規格値から外れた部分（以下、「ロス部分」という。）を、できるだけ少なくする技術が提案されている。
【０００７】
例えば、前鍋の溶鋼成分と後鍋の溶鋼成分とが線形で変移すると仮定し、前鍋の溶鋼規格成分値、又は、後鍋の溶鋼規格成分値を調整し、ロス部分の重量が最小となるように連続鋳造する技術である（特許文献１、２参照）。また、対象ロットの前後のロットの成分調整値を考慮して、ロット毎に成分調整を行なう技術（特許文献３、４参照）、タンディッシュ内に隔離材を入れることでロス部分を減らす技術（特許文献５参照）、溶鋼を入れるタイミングを工夫してロス部分を減らす技術（特許文献６参照）等様々な技術が提案されている。
【先行技術文献】
【特許文献】
【０００８】
【特許文献１】特開２０００−１７６６１１号公報
【特許文献２】特開２００１−１３８０１６号公報
【特許文献３】特開昭５８−１６８４６４号公報
【特許文献４】特開２０００−１１７４００号公報
【特許文献５】特開２００２−１５３９４９号公報
【特許文献６】特開２００６−１５０４２８号公報
【発明の概要】
【発明が解決しようとする課題】
【０００９】
ここで、溶鋼等の液状体に含まれる成分のうち成分調整を行わなければならない成分は、通常、複数ある。すなわち、それぞれの成分が、全て成分規格値内に収まるように調整を行わなければならない。
【００１０】
そして、更に、先に投入された鋳造品種の溶鋼と、その後で投入された鋳造品種の溶鋼とが混ざり合うことを考慮し、ロス部分を減らすように成分を調整する必要がある。
【００１１】
このことは、調整しなければならない成分の数が多ければ多いほど、煩雑で多大な労力を要することとなる。
【００１２】
そこで、本発明は、連続して投入された液状体を凝固させて製品を生産する設備において、投入する液状体の成分調整を容易に行い、且つ、生産効率の高い、すなわち、ロス部分が少ない生産計画を立案することを目的とする。
【課題を解決するための手段】
【００１３】
本発明にかかる一態様では、生産計画立案装置は、含まれる成分の割合が互いに異なる複数の液状体を順次投入し、投入された液状体を凝固させてそれぞれの液状体から製品を製造する設備の、生産計画を立案する生産計画立案装置であって、前記製品ごとに、製品に含まれる各成分の量の目標値と許容範囲とを記憶している目標値記憶手段と、後に投入しようとする液状体に含まれるある成分の目標値と、先に投入される液状体に含まれる当該ある成分の量とに基づいて、当該後に投入しようとする液状体を投入した場合に製造されると推定される製品であって、前記許容範囲に入らない製品の量である製品ロス量を算出する製品ロス量算出手段と、前記製品ロス量算出手段に前記後に投入しようとする液状体に含まれる成分に基づく製品ロス量を成分ごとに算出させ、当該製品ロス量が最も大きくなる成分を、成分調整を行うべき第１成分として選択するボトルネック成分選択手段とを備えることを特徴とする。
【００１４】
そして、本発明の他の一態様に係る生産計画立案方法は、含まれる成分の割合が互いに異なる複数の液状体を順次投入し、投入された液状体を凝固させてそれぞれの液状体から製品を製造する設備の、生産計画を立案する装置であって、前記製品ごとに、製品に含まれる各成分の量の目標値と許容範囲とを記憶している目標値記憶手段を備える生産計画立案装置で用いられる生産計画方法あって、後に投入しようとする液状体に含まれるある成分の目標値と、先に投入される液状体に含まれる当該ある成分の量とに基づいて、当該後に投入しようとする液状体を投入した場合に製造されると推定される製品であって、前記許容範囲に入らない製品の量である製品ロス量を算出する製品ロス量算出ステップと、前記製品ロス量算出ステップで前記後に投入しようとする液状体に含まれる成分に基づく製品ロス量を成分ごとに算出させ、当該製品ロス量が最も大きくなる成分を、成分調整を行うべき第１成分として選択するボトルネック成分選択ステップとを備えることを特徴とする。
【００１５】
このような構成の生産計画立案装置及び生産計画立案方法によれば、後に投入する液状体の成分のうちから、最もロス量が多くなる成分、すなわち、最もロスの原因となりやすい成分を第１成分（ボトルネック成分）として選択できるので、このボトルネック成分に注目して成分調整を行うことでロス量を減らすことが容易になる。すなわち、このボトルネック成分に注目して生産計画を立案すれば、生産性の高い計画を容易に立案することができることになる。
【００１６】
また、上述の生産計画立案装置において、前記生産計画立案装置は、更に、後に投入しようとする液状体に含まれる前記第１成分の量を一定量変更した場合に、当該後に投入しようとする液状体に含まれる量が変動する成分である第２成分とその変動値とを記憶している変動値記憶手段と、前記第１成分の量を当該成分の前記許容範囲内の所定量に変更した場合に、当該所定量と前記変動値とに基づいて前記第２成分の変動後の量を算出する変動量算出手段と、前記製品ロス量算出手段に、前記変動後の量を第２成分の目標値として第２成分に基づく製品ロス量を算出させ、前記所定量を第１成分の目標値として第１成分に基づく製品ロス量を算出させ、当該第２成分に基づく製品ロス量が当該第１成分に基づく製品ロス量より少ない場合に、前記所定量を前記第１成分の量と決定するボトルネック成分量決定手段とを備えることが好ましい。
【００１７】
この構成によれば、ボトルネック成分の量を変更した場合に、その量が変動する第２成分（関連成分）の変動量を算出して、この関連成分に起因するロス量を求める。そして、ボトルネック成分の量を変更して減らせるロス量が、関連成分が原因となるロス量よりも多いようなボトルネック成分の量を決定する。すなわち、ロス量を減らすためにボトルネック成分を変更した場合に、他の成分が新たなボトルネック成分となる事を防止し、ロス量を確実に減らせるボトルネック成分の量を求めることが可能となる。この量をもとに成分調整を行うよう生産計画を立案すれば、生産性の高い計画を容易に立案することができることになる。
【発明の効果】
【００１８】
本発明にかかる生産計画立案装置は、連続して投入された液状体を凝固させて製品を生産する設備において、後に投入する液状体の成分調整を容易に行い、生産効率の高い、すなわち、ロス部分が少ない生産計画を容易に立案することができる。
【図面の簡単な説明】
【００１９】
【図１】実施形態における連続鋳造設備例を説明するための図である。
【図２】実施形態における生産計画立案装置の機能的構成を示すブロック図である。
【図３】図２に示す生産計画立案装置における成分規格値テーブルの構成及び内容の例を示す図である。
【図４】図２に示す生産計画立案装置における成分規格値テーブルのバリエーション構成及び内容の例を示す図である。
【図５】図２に示す生産計画立案装置における照準可能範囲値テーブルの構成及び内容の例を示す図である。
【図６】図２に示す生産計画立案装置における照準可能範囲値テーブルのバリエーションの構成及び内容の例を示す図である。
【図７】図２に示す生産計画立案装置における品種成分テーブルの構成及び内容の例を示す図である。
【図８】図２に示す生産計画立案装置におけるロス量閾値テーブルの構成及び内容の例を示す図である。
【図９】図２に示す生産計画立案装置における成分変動値テーブルの構成及び内容の例を示す図である。
【図１０】図２に示す生産計画立案装置における品質調整関連成分テーブルの構成及び内容の例を示す図である。
【図１１】実施形態における生産計画立案装置の計画立案処理のフローチャートである。
【図１２】実施形態における生産計画立案装置のボトルネック成分導出処理のフローチャートである。
【図１３】実施形態における生産計画立案装置の最小ロス量導出処理のフローチャートである。
【発明を実施するための形態】
【００２０】
＜実施形態＞
＜概要＞
成分調整した液状体を凝固させて製品を生産する工程として、実施形態では鋳造工程を例に説明する。
【００２１】
図１に、連続鋳造設備の例を示す。
【００２２】
連続鋳造設備１０は、例えば、鋳造機１１と、成分調整設備１２と、複数の取鍋１３Ａ〜取鍋１３Ｆから構成される。白抜き矢印は、取鍋１３が移動する順路を示す。
【００２３】
鋳造機１１は液状体を凝固させる設備である。鋳造機１１の中には、連続的に溶鋼が投入される。成分調整設備１２は、鋳造機１１に投入する溶綱の成分を調整する設備であり、品種の成分が規格値内に収まるように調整する。
【００２４】
また、取鍋１３は、成分調整設備１２で成分調整した溶鋼を鋳造機１１に運ぶ鍋である。図１では、成分調整設備１２から溶鋼を受け取った取鍋１３（取鍋１３Ａ参照）は、鋳造機１１まで移動し（取鍋１３Ｂ、Ｃ参照）、鋳造機１１で中身を投入し（取鍋１３Ｄ参照）、空となった取鍋１３は再び成分調整設備１２から溶鋼を受け取るために戻ることを繰り返す（取鍋１３Ｅ、Ｆ参照）。尚、取鍋を使用せずに直接鋳造機１１に投入しても良い。
【００２５】
取鍋を使用する場合、成分調整をした後に途中で順番が入れ替わる場合が現実にはあり得る。例えば、成分調整設備１２からは取鍋１３Ｂ、取鍋１３Ｃの順に溶鋼を受け取ったが、鋳造機１１まで運ぶ途中で取鍋１３Ｂと取鍋１３Ｃとが入れ替わり、鋳造機１１に中身を投入する順番が、取鍋１３Ｃ、取鍋１３Ｂの順番となる場合である。すなわち、成分調整時の順番と鋳造機への投入の順番に違いが出る場合である。実施形態では、成分調整時の順番と鋳造機への投入の順番は同じであるものとする。
【００２６】
鋳造機１１に連続的に溶鋼を投入すると、前鍋の鋳造品種と後鍋の鋳造品種との間で溶鋼が混ざりあう。この際、前鍋で運んだ品種と後鍋で運んだ品種とが異なる場合には、品種の成分規格値から外れてしまう部分ができる。以下、先に投入された品種を「前鋳造品種」といい、前鋳造品種と異なる品種であって、後に投入された品種を「後鋳造品種」というものとする。
【００２７】
一般的に品種間の成分の量（成分値）が近ければ近いほど、成分規格値から外れる確率が低くなり、遠ければ遠いほど、外れる確率が高くなる。そのため、成分値が近い品種を連続して鋳造することが好まれる。尚、各成分値は品種、すなわち、製品ごとに成分規格値が決められており、成分値が近いか否かは、各成分の成分規格値により判断される。
【００２８】
一般的に、各成分のうちの一つでも成分規格値から外れてしまうと、外れた部分はロス部分となってしまう。
【００２９】
従って、本実施形態では、ロス部分をできるだけ少なくするために、前鋳造品種の成分を参照して、後鋳造品種の成分調整を行う際に成分規格値から最も外れやすい成分、言い換えれば、最もロスの原因となりやすい成分（以下、「ボトルネック成分」という。）を見つける。そして、ボトルネック成分が成分規格値を外れない範囲で変更し、よりロス量が少なくなるような成分値を求める。もちろん、他の成分も成分規格値から外れないことが前提となる。求めた成分値をもとに生産計画を立案することにより、ロス部分の量を減らし、生産性を向上させることが可能となる。
【００３０】
以下、本発明にかかる実施の一形態を図面に基づいて説明する。
【００３１】
＜構成＞
実施形態の生産計画立案装置１０００の構成を説明する。生産計画立案装置１０００は、図１の連続鋳造設備１０の生産計画を立案するものとする。
【００３２】
図２は、生産計画立案装置１０００の機能ブロックの構成を示す図である。
【００３３】
生産計画立案装置１０００は、生産計画立案制御部１００１、及び、入出力部１００２を備えて構成される。本図において、矢印は主なデータの流れを示す。
【００３４】
入出力部１００２は、いわゆるユーザインタフェースであり、入出力に関係する生産計画立案制御部１００１の機能部とバス１００３等で接続されている。入出力部１００２は、生産計画を立案するプログラム等を起動するコマンド等の各種コマンド、及び、計画の立案等を行う上で必要な各種データを生産計画立案装置１０００に入力する機器、例えば、キーボードやマウス等である。また、入出力部１００２は、入力機器から入力されたコマンドやデータ、及び、生産計画立案装置１０００によって導出されたボトルネック成分等を出力（提示）する機器、例えばＣＲＴディスプレイ、ＬＣＤ、有機ＥＬディスプレイ、及び、プラズマディスプレイ等の表示装置やプリンタ等の印刷装置等でもある。
【００３５】
更に、入出力部１００２は、外部の機器とデータをやり取りするための、例えば、ＵＳＢ（Universal Serial Bus）ポート等のいわゆる外部インタフェースでもある。例えば、成分計測機器等からの成分情報を入力する等である。
【００３６】
生産計画立案制御部１００１は、例えば、マイクロプロセッサおよびその周辺回路等を備えて構成され、機能的に、成分照準可能範囲値記憶部１１００、成分照準可能範囲値記録管理部１１０１、成分規格値記憶部１２００、成分規格値記録管理部１２０１、品種成分値記憶部１３００、品種成分値記録管理部１３０１、ロス量閾値記憶部１４００、ロス量閾値記録管理部１４０１、成分変動値記憶部１５００、成分変動値記録管理部１５０１、ボトルネック成分導出部１６００、品種調整成分出力部１７００、最小ロス量導出部１８００、及び、品種調整関連成分出力部１９００を備え、制御プログラムに従い入出力部１００２をその機能に応じて制御する。また、生産計画立案制御部１００１は、作業者から入出力部１００２を介して入力されたコマンドに応じて、ボトルネック成分導出部１６００にボトルネック成分導出処理を開始させる等の機能も有している。
【００３７】
成分照準可能範囲値記憶部１１００は、連続鋳造設備１０が鋳造する各品種に含まれる成分ごとの照準可能範囲値を記憶しておく機能を有する。成分照準可能範囲値記憶部１１００等の記憶部に記憶されているデータについての詳細は、＜データ＞の項で説明する。他の記憶部についても同様である。
【００３８】
また、成分規格値記憶部１２００は、連続鋳造設備１０が鋳造する各品種に含まれる成分ごとの成分規格値、及び、目標値を記憶しておく機能を有する。
【００３９】
ここで、成分照準可能範囲値記憶部１１００に記憶されている照準可能範囲値と、成分規格値記憶部１２００に記憶されている成分規格値とについて説明する。
【００４０】
成分規格値とは、素材メーカーが各品種を製造する上で守らなければならない規格のうち、その成分に関する規格値である。この成分規格値として、通常、範囲が設定されている。例えば、成分ごとに上下限値が示されている。この成分規格値の上下限から外れた部分がロス部分となる。
【００４１】
また、照準可能範囲値とは、実際に成分調整を行う際に、鋳造品の成分が成分規格値から外れることがないと考えられる成分調整可能な範囲である。すなわち、調整の照準（目標値）をこの範囲に定めれば、規格値から外れることがないと考えられる値である。成分規格値の上下限ギリギリに照準を合わせて成分調整をした場合には、品種が成分規格値から外れてしまう可能性があることから、それを防ぐため、工場管理者や作業者等が、経験則等で設定する。従って、実際には、成分規格値ではなく照準可能範囲を、成分の許容範囲として成分調整を行うことになる。尚、このような照準可能範囲値を設けていない場合もあり、この場合は成分規格値が許容範囲となる。実施形態では、この照準可能範囲値を成分の許容範囲として説明するが、成分規格値を成分の許容範囲としてもよい。
【００４２】
また、成分規格値記憶部１２００が記憶している目標値とは、成分調整を行う際の目標値である。成分規格値は、上述のように上下限値を定めている。従って、上下限値のみでは成分調整しづらいため、工場管理者や作業者等が各成分の目標値を定めていることがほとんどである。目標値は、成分が外れることのないように規格値の上下限の中間値を取る場合が多いが、多少ずれていても問題はない。
【００４３】
成分照準可能範囲値記録管理部１１０１は、入出力部１００２を介して作業者が入力した照準可能範囲値を、成分照準可能範囲値記憶部１１００に記憶させたり、作業者の指示に応じて更新したり、また、読み出したり等の処理を行う機能を有する。
【００４４】
成分規格値記録管理部１２０１は、入出力部１００２を介して作業者等が入力した成分規格値を、成分規格値記憶部１２００に記憶させる等の処理を行う機能を有する。
【００４５】
次に、品種成分値記憶部１３００は、成分調整設備１２が成分調整した品種の成分値を記憶しておく機能を有する。実施形態では、前鋳造品種の成分値を記憶しておく。
【００４６】
品種成分値記録管理部１３０１は、液体成分計測機器等で測定した前鋳造品種の成分値を、入出力部１００２を介して取得し、品種成分値記憶部１３００に記憶させる等の処理を行う機能を有する。この成分値は、前鋳造品種の成分調整が完了している場合であれば、その品種の液状体の成分を各種計測機器で計測し、計測した値を記憶する。また、前鋳造品種の成分調整が完了する前である場合や、成分調整後であっても各種計測機器で計測できない場合には、品種の液状体の成分を金属の投入量等に基づいて算出した成分値であってもよい。
【００４７】
ロス量閾値記憶部１４００は、前鋳造品種と後鋳造品種との成分値が異なっている場合に、その境界部分で発生するロス量を見積もるためのテーブルを記憶しておく機能を有する。前鋳造品種と後鋳造品種とに含まれる成分の差に応じたロス量を示すテーブルである。一般的に、見積もり段階でロス量を正確に当てることは難しい。すべての成分の前鋳造品種の成分規格値と後鋳造品種の成分規格値とを考慮してロス量を算出する必要があり、非常に手間が掛かる作業となる。そのため、通常、ロス量閾値という指標を工場管理者や作業者等が設け、大まかなロス量見積もりで運用をしている。この見積もり用の指標、言い換えれば、成分とロス量の関係は、経験的に過去の実績から決められている場合が多い。
【００４８】
ロス量閾値記録管理部１４０１は、入出力部１００２を介して作業者が入力したロス量の見積もり用テーブルを、ロス量閾値記憶部１４００に記憶させる等の処理を行う機能を有する。
【００４９】
成分変動値記憶部１５００は、成分調整をする際に、ある成分の量を変更した場合に、その変更に伴って変動する成分とその変動量との一覧を記憶しておく機能を有する。一般的に、成分調整では、１成分のみの量を変えることは難しく、その１成分の変化に伴い、他の成分の値も多少変化する。そのため、他の成分の変動を考慮し、成分調整する必要がある。実施形態では、成分ごとに、その成分の変更量と、変動する他の成分（以下、「関連成分」という。）とその変動量とを対応付けて記憶しておく。
【００５０】
成分変動値記録管理部１５０１は、入出力部１００２を介して作業者が入力した、関連成分とその変動量との一覧を、成分変動値記憶部１５００に記憶させる等の処理を行う機能を有する。
【００５１】
次に、ボトルネック成分導出部１６００は、後鋳造品種の成分調整を行う際に、最もロス量の原因となりやすい成分であるボトルネック成分を見つける機能を有する。ボトルネック成分を見つける際、ボトルネック成分導出部１６００は、品種成分値記憶部１３００に記憶されている前鋳造品種の成分値と、成分規格値記憶部１２００に記憶されている後鋳造品種の目標値とを参照する。処理の詳細は、＜動作＞の項で説明する。
【００５２】
品種調整成分出力部１７００は、ボトルネック成分導出部１６００で導出されたボトルネック成分と、その成分の許容範囲とを入出力部１００２に出力する機能を有する。その際、品種調整成分出力部１７００は、ボトルネック成分の目標値を算出して出力してもよい。目標値を算出する方法は、従来の技術を用いて算出する。また、設備状況や鋳造方式の違い等によって計算で容易に目標値を当てることが難しい場合には、ボトルネック成分を作業者に示すことで、作業者は、ボトルネック成分のみを許容範囲内で成分調整すれば、ロス量を削減することが可能となる。
【００５３】
最小ロス量導出部１８００は、よりロス量を少なくできるボトルネック成分の成分値を導出する機能を有する。この際、最小ロス量導出部１８００は、ボトルネック成分の量を変更したことにより変動する他の成分（関連成分）も考慮に入れて、成分値を求める。処理の詳細は、＜動作＞の項で説明する。
【００５４】
品種調整関連成分出力部１９００は、最小ロス量導出部１８００で導出したボトルネック成分、及び、関連成分に関する情報を入出力部１００２に出力する機能を有する。作業者は、ボトルネック成分、及び、関連成分に関する情報を知ることで、ロス量を削減するネックとなる部分を容易に判断できることが可能になり、設備状況や鋳造方式の違い等に応じて、その対処を行うことが可能となる。
【００５５】
生産計画立案制御部１００１に含まれる成分照準可能範囲値記憶部１１００等の記憶部は、その用途に応じて、例えば、生産計画立案装置１０００のいわゆるワーキングメモリとなるＲＡＭ（Random Access Memory）等の揮発性の記憶素子、ＲＯＭ（Read Only Memory）や書換え可能なＥＥＰＲＯＭ（Electrically Erasable Programmable Read Only Memory）等の不揮発性の記憶素子、ハードディスク等により構成される。
【００５６】
このような構成の生産計画立案装置１０００は、例えば、パーソナルコンピュータ等のコンピュータを用いて構成可能であり、ハードディスク等の記憶部に格納されている生産計画立案方法をプログラムしたソフトウェアを実行することによって上述のボトルネック成分導出部１６００等がコンピュータに機能的に構成される等する。尚、コンピュータには、図２に示す他の機能部のうちの１または複数が構成されてもよい。
【００５７】
生産計画立案方法等をプログラムしたプログラムが生産計画立案装置１０００のハードディスク等の記憶部に格納されていない場合には、これらを記録した記録媒体から外部記憶部を介して生産計画立案装置１０００内の記憶部にインストールされるように構成してもよく、また、これらプログラムを管理するサーバ（図示していない。）からネットワーク及び通信インタフェース部を介して各プログラムがダウンロードされるように構成してもよい。また、成分照準可能範囲値記憶部１１００等に記憶されているデータは、このデータを記憶した記録媒体によって外部記憶部を介して生産計画立案装置１０００に入力されるように構成してもよく、また、作業者からネットワーク及び通信インタフェース部を介して生産計画立案装置１０００に入力されるように構成してもよい。
【００５８】
＜データ＞
生産計画作成装置１０００で用いる主なデータについて、図３〜図１０を用いて説明する。
【００５９】
図３は、成分規格値テーブル１２１０の構成及び内容の例を示す図である。この成分規格値テーブル１２１０は、成分規格値記憶部１２００に記憶されており、鋳造する品種ごとに、１つのテーブルが記憶されている。また、成分ごとに１レコードが登録されている。
【００６０】
成分規格値テーブル１２１０は、成分１２１１、規格値１２１２、及び、目標値１２１３で構成される。
【００６１】
成分１２１１は、品種に含まれる成分のうち、規格が設定されている成分を示す。
【００６２】
規格値１２１２は、成分１２１１で示す成分の、品種に含まれなければならない量、いわゆる規格値を示す。規格値１２１２は、「上限」と「下限」とを含み、それぞれ規格値の上限値と下限値とを示す。単位は％（パーセント）である。
【００６３】
目標値１２１３は、成分１２１１で示す成分の、成分調整を行う際に可能な限り近づけたい値、いわゆる、目標値を示す。実施形態では、規格値１２１２で示される上限値と下限値の中間の値を目標値としている。
【００６４】
例えば、図３に示す成分規格値テーブル１２１０には、成分１２１１として、それぞれ「Ｃ」、「Ｓ」、「Ｐ」が設定されたレコードが登録されているので、この成分規格値テーブル１２１０で示される品種では、炭素、硫黄、リンの量が規格で決められていることになる。また、成分１２１１に「Ｃ」が設定されているレコードでは、規格値１２１２の「上限」として「０．４００」が、下限として「０．２００」が、目標値１２１３として「０．３００」が設定されているので、この品種に含まれなくてはならない炭素の量は、０．２００％〜０．４００％（０．２００％より多く、且つ、０．４００％以下）であり、成分調整をする際の目標とする値は０．３００％であることになる。
【００６５】
図４は、成分規格値テーブル１２２０の構成及び内容の例を示す図である。この成分規格値テーブル１２２０は、成分規格値テーブル１２１０のバリエーションである。
【００６６】
成分規格値テーブル１２１０では、規格値を範囲で、具体的には、上限値と下限値とで示しているが、成分規格値テーブル１２２０では、規格値を、基準となる目標値と取り得る幅とで示している。
【００６７】
成分規格値テーブル１２２０は成分規格値テーブル１２１０と同様に、鋳造する品種ごとに、１つのテーブルが対応し、成分ごとに１レコードが登録されている。
【００６８】
成分規格値テーブル１２２０は、成分１２２１、目標値１２２２、及び、規格範囲値１２２３で構成される。
【００６９】
成分１２２１は、品種に含まれる成分のうち、規格が設定されている成分を示す。
【００７０】
目標値１２２２は、品種に含まれる成分１２２１で示す成分の、理想とする量の値である。
【００７１】
規格範囲値１２２３は、成分１２２１で示す成分の、目標値１２２２で示す値から取り得る幅を示す。規格範囲値１２２３は、「上限」と「下限」とを含み、それぞれ取り得る幅の上限値と下限値とを示す。単位は％（パーセント）である。
【００７２】
例えば、図４に示す成分規格値テーブル１２２０の成分１２２１に「Ｃ」が設定されているレコードは、目標値１２２２として「０．３００」が、規格範囲値１２２３の「上限」として「＋０．１００」が、下限として「−０．１００」が設定されているので、この品種に含まれなくてはならない炭素の量は、理想とする値は０．３００％であり、０．２００％〜０．４００％までは許されることになる。
【００７３】
次に、図５は、照準可能範囲値テーブル１１１０の構成及び内容の例を示す図である。この照準可能範囲値テーブル１１１０は、成分照準可能範囲値記憶部１１００に記憶されており、鋳造する品種ごとに、１つのテーブルが記憶されている。また、成分ごとに１レコードが登録されている。照準可能範囲値テーブル１１１０は、実際に成分調整を行う際に、各成分の照準を定める範囲を示すテーブルである。
【００７４】
照準可能範囲値テーブル１１１０は、成分１１１１、規格値１１１２、目標値１１１３、及び、照準可能範囲値１１１４で構成される。
【００７５】
成分１１１１、規格値１１１２、及び、目標値１１１３は、それぞれ成分規格値テーブル１２１０（図３参照）の成分１２１１、規格値１２１２、及び、目標値１２１３と同じ内容を示す。
【００７６】
具体的には、成分１１１１は、品種に含まれる成分のうち、規格が設定されている成分を示し、規格値１１１２は、「上限」と「下限」とを含み、成分１１１１で示す成分が品種に含まれなければならない量の上限値と下限値とをそれぞれ示す。目標値１１１３は、成分１１１１で示す成分の、成分調整を行う際に可能な限り近づけたい値を示す。
【００７７】
照準可能範囲値１１１４は、成分１１１１で示す成分の成分調整を行う際の、照準を定める範囲、言い換えれば、許容範囲を示す。照準可能範囲値１１１４は、「上限」と「下限」とを含み、「上限」は照準可能範囲値としての上限値を示し、「下限」は照準可能範囲値としての下限値を示す。
【００７８】
例えば、図５に示す成分規格値テーブル１２１０の成分１１１１として「Ｃ」が設定されているレコードは、目標値１１１３として「０．３００」が、照準可能範囲値１１１４の「上限」として「０．３５０」が、下限として「０．２５０」が設定されているので、この品種で炭素の量を調整する際の照準範囲は、０．２５０％〜０．３５０％であり、成分調整をする際の目標とする値は０．３００％であることになる。
【００７９】
図６は、照準可能範囲値テーブル１１２０の構成及び内容の例を示す図である。この照準可能範囲値テーブル１１２０は、照準可能範囲値テーブル１１１０のバリエーションである。
【００８０】
照準可能範囲値テーブル１１１０では、照準可能範囲値を範囲で、具体的には、上限値と下限値とで示しているが、照準可能範囲値テーブル１１２０では、照準可能範囲値を、基準となる目標値と取り得る幅とで示している。
【００８１】
照準可能範囲値テーブル１１２０は照準可能範囲値テーブル１１１０と同様に、鋳造する品種ごとに、１つのテーブルが対応し、成分ごとに１レコードが登録されている。
【００８２】
照準可能範囲値テーブル１１２０は、成分１１２１、規格値１１２２、目標値１１２３、及び、照準可能範囲値１１２４で構成される。成分１１２１、規格値１１２２、及び、目標値１１２３は、それぞれ成分規格値テーブル１２１０（図３参照）の成分１２１１、規格値１２１２、及び、目標値１２１３と同じ内容を示す。
【００８３】
照準可能範囲値１１２４は、成分１１２１で示す成分の、目標値１１２３で示す値から取り得る幅を示す。照準可能範囲値１１２４は、「上限」と「下限」とを含み、それぞれ取り得る幅の上限値と下限値とを示す。単位は％（パーセント）である。
【００８４】
例えば、図６に示す照準可能範囲値テーブル１１２０の成分１１２１に「Ｃ」が設定されているレコードは、目標値１１２３として「０．３００」が、照準可能範囲値１１２４の「上限」として「＋０．０５０」が、下限として「−０．０５０」が設定されているので、この品種の成分調整する際の炭素の量の目標とする値は０．３００％であり、０．２５０％〜０．３５０％までの範囲で照準を定めることになる。
【００８５】
次に、図７は、品種成分テーブル１３１０の構成及び内容の例を示す図である。この品種成分テーブル１３１０は、品種成分値記憶部１３００に記憶されており、前鋳造品種の成分の測定値が設定されているテーブルである。成分ごとに１レコードが登録されている。
【００８６】
品種成分テーブル１３１０は、成分１３１１、及び、成分値１３１２で構成される。
【００８７】
成分１３１１は、前鋳造品種に含まれている成分を示す。
【００８８】
成分値１３１２は、成分１３１１で示す成分が、前鋳造品種に含まれている量を示す。単位は、％（パーセント）である。
【００８９】
図８は、ロス量閾値テーブル１４１０の構成及び内容の例を示す図である。このロス量閾値テーブル１４１０は、ロス量閾値記憶部１４００に記憶されており、前鋳造品種と後鋳造品種とに含まれる成分の差に応じたロス量を示すテーブルである。成分ごとにロス量が示され、成分ごとに１レコードが登録されている。
【００９０】
ロス量閾値テーブル１４１０は、成分１４１１、ロス量閾値（１段階目）１４１２、ロス量閾値（２段階目）１４１３、ロス量閾値（３段階目）１４１４、ロス量閾値（４段階目）１４１５、及び、ロス量閾値（５段階目）１４１６で構成される。また、最後のレコード１４１７は、ロス量を示すレコードである。
【００９１】
成分１４１１は、前鋳造品種と後鋳造品種とに含まれる成分を示す。
【００９２】
ロス量閾値（１段階目）１４１２〜ロス量閾値（５段階目）１４１６は、それぞれ、成分１４１１で示す成分の、前鋳造品種と後鋳造品種とに含まれる量の差の上限値を示す。単位は％である。
【００９３】
ここで、前鋳造品種と後鋳造品種とに含まれる成分量の差の求め方について説明する。
【００９４】
成分量の差（成分差）は、成分規格値の目標値と、前鋳造品種の成分値との差で決定する。具体的には、以下の式（Ａ）で求める。
成分差 ＝ 前鋳造品種の成分値 − 後鋳造品種の成分値(目標値)      ・・・（Ａ）
例えば、炭素の成分差を求める場合は、品種成分テーブル１３１０（図７参照）の成分１３１１として「Ｃ」が設定されているレコードの成分値１３１２として設定されている成分値「０．５００」から、成分規格値テーブル１２１０（図３参照）の成分１２１１として「Ｃ」が設定されているレコードの目標値１２１３として設定されている値「０．３００」を引いて求める。この場合の成分差は、「＋０．２００」となる。
【００９５】
そして、ロス量閾値（１段階目）１４１２〜ロス量閾値（５段階目）１４１６として設定されている上限値は、ロス量閾値（１段階目）１４１２からロス量閾値（５段階目）１４１６へと、段階目の数値があがるにつれて、差の絶対値が大きくなっていくものとする。
【００９６】
例えば、図８のロス量閾値テーブル１４１０の成分１４１１に「Ｃ」が設定されているレコードは、ロス量閾値（１段階目）１４１２として「±０．０５０」が設定され、ロス量閾値（２段階目）１４１３として「±０．１００」が設定されている。
【００９７】
「±０．０５０」は、ロス量閾値（１段階目）１４１２の上限値であるので、前鋳造品種と後鋳造品種とに含まれている炭素の量の差の絶対値｜Ｃ｜が、
０．０００％≦｜Ｃ｜≦０．０５０％
である場合は、ロス量閾値（１段階目）１４１２に該当することになる。同様に、「±０．１００」が、ロス量閾値（２段階目）１４１３の上限値となるので、差の絶対値｜Ｃ｜が、
０．０５０％＜｜Ｃ｜≦０．１００％
である場合は、ロス量閾値（２段階目）１４１３に該当することになる。
【００９８】
また、例えば、ロス量閾値テーブル１４１０の成分１４１１に「Ｓ」が設定されているレコードには、ロス量閾値が、上段と下段との２段で設定されており、上段はプラスの差分を示し、下段はマイナスの差分を示す。尚、上段の「＋０．０００」は、差が無いということであるので、ロス量は０（ゼロ）となる。このレコードには、ロス量閾値（１段階目）１４１２として「＋０．０００」と「−０．０２５」が、ロス量閾値（２段階目）１４１３として「＋０．０００」と「−０．０５０」が、ロス量閾値（３段階目）１４１４として「＋０．０１０」と「−０．１００」が設定されている。
【００９９】
この場合は、前鋳造品種と後鋳造品種とに含まれている硫黄の量の差Ｓが、
Ｓ≦−０．０２５％
である場合は、ロス量閾値（１段階目）１４１２に該当し、差が、
−０．０２５％＞Ｓ≧−０．０５０％
である場合は、ロス量閾値（２段階目）１４１３に該当することになる。また、差が、
−０．０５０％＞Ｓ≧−０．１００％、又は、０．０００％＜Ｓ≦＋０．０１０％
である場合は、ロス量閾値（３段階目）１４１４に該当することになる。
【０１００】
レコード１４１７は、ロス量閾値（１段階目）１４１２〜ロス量閾値（５段階目）１４１６に該当する場合の、それぞれのロス量を示す。例えば、レコード１４１７のロス量閾値（１段階目）１４１２として「１０．０ｔ」と設定されているので、ロス量閾値（１段階目）１４１２に該当する場合は、１０．０ｔ（トン）のロスが発生すると見積もられる。但し、成分差の中で、段階目が最も大きい成分を基準として、その成分差の位置する段階目でロス量が決定される。例えば、炭素（Ｃ）と硫黄（Ｓ）とが含まれる品種を考える。炭素（Ｃ）の差が「＋０．１５０」で、硫黄（Ｓ）の差が「−０．０２０」であった場合には、炭素（Ｃ）の差はロス量閾値（３段階目）１４１４に該当し、硫黄（Ｓ）の差はロス量閾値（１段階目）１４１２に該当する。この場合、炭素（Ｃ）のロス量はロス量閾値（３段階目）１４１４のロス量「３０．０ｔ」となり、硫黄（Ｓ）のロス量は、ロス量閾値（１段階目）１４１２のロス量「１０．０ｔ」となる。従って、この品種のロス量は、「３０．０ｔ」となる。
【０１０１】
尚、実施形態では、ロス量閾値（１段階目）１４１２〜ロス量閾値（５段階目）１４１６の５段階を設けているが、これに限られない。
【０１０２】
また、ロス量は、ロス量閾値テーブル１４１０に示すような成分差とロス量とを対応付けたテーブルを参照して求めるほか、計算式を用いて求めることとしてもよい。計算式の例を以下に示す。Ｃ、Ｓ、Ｐは、それぞれ、炭素の成分差、硫黄の成分差、リンの成分差を示すものとし、単位はパーセント(％)である。また、ロス量の単位はトン(ｔ)である。
【０１０３】
Ｃ≦−０．１００の場合は式（１）で、−０．１００＜Ｃ≦０．０００の場合は式（２）で、０．０００＜Ｃ≦＋０．１００の場合は式（３）で、＋０．１００＜Ｃの場合は式（４）で、ロス量を求める。
ロス量＝−１００×Ｃ＋１０．０      ・・・（１）
ロス量＝−２００×Ｃ      ・・・（２）
ロス量＝２００×Ｃ      ・・・（３）
ロス量＝１００×Ｃ＋１０．０      （４）
また、Ｓ≦−０．０５０の場合は式（５）で、−０．０５０＜Ｓ≦０．０００の場合は式（６）で、０．０００＜Ｓの場合は式（７）でロス量を求める。
ロス量＝−２００×Ｓ＋１０．０      ・・・（５）
ロス量＝−４００×Ｓ      ・・・（６）
ロス量＝１０００×Ｓ＋２０．０      ・・・（７）
また、Ｐ≦−０．０２０の場合は式（８）で、−０．０２０＜Ｐ≦０．０００の場合は式（９）で、０．０００＜Ｐ≦＋０．０２０の場合は式（１０）で、＋０．０２０＜Ｐの場合は式（１１）でロス量を求める。
ロス量＝−２０００×Ｐ−３０．０      ・・・（８）
ロス量＝−５００×Ｐ      ・・・（９）
ロス量＝５００×Ｐ      ・・・（１０）
ロス量＝２０００×Ｐ−３０．０      ・・・（１１）
次に、図９は、成分変動値テーブル１５１０の構成及び内容の例を示す図である。この成分変動値テーブル１５１０は、成分変動値記憶部１５００に記憶されているテーブルである。この成分変動値テーブル１５１０は、ある成分の値を変更した場合に（以下、変更した成分を「変更成分」という。）、その変更によって量が変動する成分（関連成分）とその変動量を示したテーブルである。変更成分ごとに１テーブルが作成されており、関連成分ごとに１レコードが登録されている。図９の成分変動値テーブル１５１０は、変更成分がリン（Ｐ）の場合の成分変動テーブルの内容例である。
【０１０４】
成分変動値テーブル１５１０は、関連成分１５１１、及び、Ｐ変更１５１２で構成される。
【０１０５】
関連成分１５１１は、変更成分リン（Ｐ）の量が変更された場合に量が変動する成分を示す。
【０１０６】
Ｐ変更値１５１２は、リン（Ｐ）の変更量を示している。実施形態では、「＋０．００１」と「−０．００１」との２つの変更値を設定している。
【０１０７】
そして、各レコードには、この変更値に応じた、関連成分の変動量が設定されている。
【０１０８】
例えば、関連成分１５１１として「Ｃ」が設定されているレコードには、Ｐ変更値１５１２「＋０．００１」として「＋０．０１０」が設定されているので、リンを０．００１％増やした場合には、炭素は０．０１０％増えることになる。
【０１０９】
尚、変動量は、成分変動値テーブル１５１０に示すような変更量と変動量とを対応付けたテーブルを参照して求めるほか、計算式を用いて求めることとしてもよい。計算式の例を以下に示す。Ｃ、Ｓ、Ｐは、それぞれ、炭素の成分差、硫黄の成分差、リンの成分差を示すものとし、単位はパーセント(％)である。
Ｃ＝１０×Ｐ
Ｓ＝１×Ｐ
次に、図１０は、品質調整関連成分テーブル１９１０の構成及び内容の例を示す図である。この品質調整関連成分テーブル１９１０は、品種調整関連成分出力部１９００が作成し、入出力部１００２に出力するテーブルである。品質調整関連成分テーブル１９１０には、ボトルネック成分導出部１６００で導出したボトルネック成分、及び、最小ロス量導出部１８００で求めた関連成分が設定され、どの段階目までロス量を減らせるかについての情報が設定されている。
【０１１０】
品質調整関連成分テーブル１９１０は、成分種別１９１１、成分１９１２、及び、段階１９１３で構成される。
【０１１１】
成分種別１９１１は、成分１９１２で示す成分の種別を示す。具体的には、成分１９１２で示す成分がボトルネック成分の場合は「ボトルネック成分」と記載され、関連成分の場合は「関連成分」と記載される。
【０１１２】
成分１９１２は、成分調整する成分を示す。
【０１１３】
段階１９１３は、ロス量を最も減らせる場合の、成分１９１２で示す成分の量の段階目を示す。この段階目は、図８のロス量閾値（１段階目）１４１２〜ロス量閾値（５段階目）１４１６のいずれかである。
【０１１４】
＜動作＞
以下、生産計画立案装置１０００の動作について、図１１〜図１３を用いて説明する。
【０１１５】
図１１は、生産計画立案装置１０００の生産計画立案処理のフローチャートである。
【０１１６】
まず、作業者は、生産計画立案処理に必要なデータを、入出力部１００２を介して生産計画立案装置１０００の記憶部に記憶させる。
【０１１７】
具体的には、まず、作業者は成分規格値テーブル１２１０（図３参照）を作成し、入出力部１００２及び成分規格値記録管理部１２０１を介して、成分規格値記憶部１２００に記憶させる（ステップＳ１０）。
【０１１８】
また、作業者は、照準可能範囲値テーブル１１１０（図５参照）を作成し、入出力部１００２及び成分照準可能範囲値記録管理部１１０１を介して、成分照準可能範囲値記憶部１１００に記憶させ（ステップＳ１１）、品種成分テーブル１３１０（図７参照）を作成し、入出力部１００２及び品種成分値記録管理部１３０１を介して、品種成分値記憶部１３００に記憶させる（ステップＳ１２）。
【０１１９】
更に、作業者は、ロス量閾値テーブル１４１０（図８参照）を作成し、入出力部１００２及びロス量閾値記録管理部１４０１を介して、ロス量閾値記憶部１４００に記憶させ（ステップＳ１３）、成分変動値テーブル１５１０（図９参照）を作成し、入出力部１００２及び成分変動値記録管理部１５０１を介して、成分変動値記憶部１５００に記憶させる（ステップＳ１４）。
【０１２０】
生産計画立案処理に必要なデータを入力した作業者は、入出力部１００２を介して計画の立案を指示するコマンドを入力する。コマンドの入力を検出した入出力部１００２は、その旨を生産計画立案制御部１００１に通知する。
【０１２１】
生産計画立案制御部１００１は、計画の立案を指示するコマンドが入力された旨の通知を受けると、ボトルネック成分導出部１６００に生産計画の立案開始を指示する。
【０１２２】
指示を受けたボトルネック成分導出部１６００は、ボトルネック成分を導出する（ステップＳ１５）。
【０１２３】
ここで、図１２を用いて、ボトルネック成分導出処理を説明する。図１２は、ボトルネック成分導出処理のフローチャートである。
【０１２４】
ボトルネック成分導出部１６００は、成分規格値記憶部１２００に記憶されている後鋳造品種の成分規格値テーブル１２１０と、品種成分値記憶部１３００に記憶されている前鋳造品種の品種成分テーブル１３１０とを参照して、前鋳造品種と後鋳造品種との成分差を算出する（ステップＳ２０）。
【０１２５】
詳細には、ボトルネック成分導出部１６００は、成分規格値テーブル１２１０に登録されている最初のレコード、すなわち、成分１２１１として「Ｃ」が設定されているレコードの目標値１２１３として設定されている値「０．３００」を読み出す。次に、品種成分テーブル１３１０の成分１３１１として「Ｃ」が設定されているレコードの成分値１３１２として設定されている値「０．５００」を読み出す。そして、上述した式（Ａ）を用いて、成分差を求める。すなわち、品種成分テーブル１３１０から読み出した値「０．５００」から、成分規格値テーブル１２１０から読み出した値「０．３００」を減算し、成分差「０．２００」を求める。
【０１２６】
次に、ボトルネック成分導出部１６００は、ロス量閾値記憶部１４００に記憶されているロス量閾値テーブル１４１０を参照してロス量を求める（ステップＳ２１）。
【０１２７】
詳細には、ボトルネック成分導出部１６００は、ステップＳ２０で求めた成分差が、成分１４１１として「Ｃ」が設定されているレコードの、ロス量閾値（１段階目）１４１２〜ロス量閾値（５段階目）１４１６として設定されている値のいずれに該当するかを判断する。成分差は「０．２００」であるので、ロス量閾値（３段階目）１４１４として設定されている「±０．２００」で示される範囲、０．１００＜成分差の絶対値≦０．２００に該当する。すなわち、「Ｃ」のロス量閾値は、３段階目であることになり、ロス量は「３０．０ｔ」となる。
【０１２８】
成分規格値テーブル１２１０に登録されているレコードについて、ステップＳ２０及びステップＳ２１を行う（ステップＳ２２：ＮＯ）。
【０１２９】
例えば、成分規格値テーブル１２１０に登録されている次のレコード、すなわち、成分１２１１として「Ｓ」が設定されているレコードの目標値１２１３として設定されている値は「０．０３０」であり、品種成分テーブル１３１０の成分１３１１として「Ｓ」が設定されているレコードの成分値１３１２として設定されている値は「０．０１０」であるので、成分差は「−０．０２０」となる（ステップＳ２０）。
【０１３０】
そして、成分差は「−０．０２０」であるので、ロス量閾値テーブル１４１０の成分１４１１として「Ｓ」が設定されているレコードの、ロス量閾値（１段階目）１４１２として設定されている「＋０．０００  −０．０２５」で示される範囲、成分差≦−０．０２５に該当する。すなわち、「Ｓ」のロス量閾値は１段階目であり、ロス量は「１０．０ｔ」となる（ステップＳ２１）。
【０１３１】
同様に、成分規格値テーブル１２１０に登録されている最後のレコード、すなわち、成分１２１１として「Ｐ」が設定されているレコードの目標値１２１３として設定されている値は「０．０３０」であり、品種成分テーブル１３１０の成分１３１１として「Ｐ」が設定されているレコードの成分値１３１２として設定されている値は「０．０７０」であるので、成分差は「＋０．０４０」となる（ステップＳ２０）。
【０１３２】
そして、成分差は「＋０．０４０」であるので、ロス量閾値テーブル１４１０の成分１４１１として「Ｐ」が設定されているレコードの、ロス量閾値（５段階目）１４１６として設定されている「±０．０４０」で示される範囲、０．０３５＜成分差の絶対値≦０．０４０に該当する。すなわち、「Ｐ」のロス量閾値は５段階目であり、ロス量は「５０．０ｔ」となる（ステップＳ２１）。
【０１３３】
成分規格値テーブル１２１０に登録されているレコード、すなわち、すべての成分についてロス量の段階目及びロス量を求めると（ステップＳ２２：ＹＥＳ）、ボトルネック成分導出部１６００は、最もロス量が多い成分をボトルネック成分と決定する（ステップＳ２３）。成分規格値テーブル１２１０においては、ロス量が最も多い「Ｐ」がボトルネック成分であると決定される。
【０１３４】
図１１のステップＳ１５において、ボトルネック成分を導出したボトルネック成分導出部１６００は、導出したボトルネック成分を、品種調整成分出力部１７００に渡す。例えば、「Ｐ」を渡す。また、ボトルネック成分導出部１６００は、導出したボトルネック成分とロス量閾値の段階目とを、最小ロス量導出部１８００に渡す。例えば、「Ｐ」及び「５段階目」を渡す。
【０１３５】
ボトルネック成分を渡された品種調整成分出力部１７００は、ボトルネック成分を入出力部１００２に出力する（ステップＳ１６）。例えば、リン（Ｐ）がボトルネック成分である旨を出力する。作業者は、リン（Ｐ）がボトルネック成分であることを知ることができるので、ロス量を減らすためには、後鋳造品種のリン（Ｐ）の成分を調整すべきであることを認識することができる。また、品種調整成分出力部１７００は、照準可能範囲値テーブル１１１０（図５）を参照し、成分１１１１として「Ｐ」が設定されているレコードの照準可能範囲値１１１４の「上限」として設定されている値「０．０３５」及び「下限」として設定されている値「０．０２５」を読み出し、照準可能範囲が「０．０２５(％)〜０．０３５(％)」である旨を入出力部１００２に表示する。作業者は、その範囲内で調整を行えばよいことがわかる。
【０１３６】
また、ボトルネック成分と段階目とを渡された最小ロス量導出部１８００は、ロス量をできるだけ少なくするボトルネック成分の成分値を導出する（ステップＳ１７）。
【０１３７】
ここで、図１３を用いて、最小ロス量導出処理を説明する。図１３は、最小ロス量導出処理のフローチャートである。
【０１３８】
最小ロス量導出部１８００は、まず、ロス量閾値テーブル１４１０を参照して、ボトルネック成分導出部１６００から渡されたボトルネック成分の段階目を１段階減らした場合の、ボトルネック成分の新しい目標値を求める（ステップＳ３０）。以下、この１段階減らした段階目を「現在の段階目」というものとする。
【０１３９】
例えば、ボトルネック成分導出部１６００から渡されたボトルネック成分が「Ｐ」、段階目が「５段階目」である場合は、「４段階目」の「Ｐ」の値、すなわち、前鋳造品種に含まれる「Ｐ」の成分値と後鋳造品種に含まれる「Ｐ」の成分値との差をロス量閾値テーブル１４１０（図８参照）から読み出す。詳細には、成分１４１１として「Ｐ」が設定されているレコードの、ロス量閾値（４段階目）１４１５として設定されている値「±０．０３５」を読み出す。そして、最も大きい差を採用する。この場合、差の最大値「０．０３５」を採用する。最小ロス量導出部１８００は、前鋳造品種の「Ｐ」の成分値「０．０７０」（図４の成分規格値テーブル１２２０参照）から、採用した差「０．０３５」だけ離れた値を求め、求めた値「０．０３５」、「０．１０５」を、ボトルネック成分の新しい目標値とする。
【０１４０】
次に、最小ロス量導出部１８００は、ボトルネック成分の新しい目標値が、照準可能範囲であるかを判断する（ステップＳ３１）。照準可能範囲内にあるか否かは、照準可能範囲値テーブル１１１０を参照して判断する。詳細には、最小ロス量導出部１８００は、成分１１１１として「Ｐ」が設定されているレコードの、照準可能範囲値１１１４を読み出す。照準可能範囲値１１１４の「上限」が「０．０３５」であり、「下限」が「０．０２５」であるので、０．０２５〜０．０３５の範囲が照準可能範囲となる。従って、最小ロス量導出部１８００は、新しい目標値のうちの「０．０３５」は、照準可能範囲に入っていると判断する。この「０．０３５」を新しい目標値とする。尚、仮に、「０．０３５」、「０．１０５」の双方が照準可能範囲に入る場合は、双方を新しい目標値とする。尚、所定の法則で一方を新しい目標値とすることとしてもよい。例えば、成分の量が少なくなる用を選択する等である。
【０１４１】
新しい目標値の全てが照準可能範囲内になければ（ステップＳ３１：ＮＯ）、製品としての規格成分値を守ることができないこととなるので、現在の段階目よりも１つ上げた段階目を、ボトルネック成分の段階目として決定する（ステップＳ３６）。例えば、現在の段階目が「４段階目」である場合は、「５段階目」として処理を終了する。
【０１４２】
一方、新しい目標値が照準可能範囲内にある場合は（ステップＳ３１：ＹＥＳ）、ボトルネック成分を新しい目標値としたとした場合の、ボトルネック成分の変更量を求める（ステップＳ３２）。
【０１４３】
詳細には、まず、最小ロス量導出部１８００は、「Ｐ」の新しい目標値「０．０３５」から、その前の目標値「０．０３０」を減算して、変更量「＋０．００５」を求める。その前の目標値とは、１つ前の段階目であると判断した時の目標値である。例えば、ボトルネック成分導出部１６００から段階目「５段階目」を受け取り、現在の段階目が「４段階目」である場合は、前の目標値とは成分規格値テーブル１２１０（図３参照）の目標値１２１３として設定されている値「０．０３０」であり、現在の段階目が「３段階目」である場合は、「４段階目」のときの新しい目標値「０．０３５」となる。
【０１４４】
変更成分「Ｐ」の変更量「＋０．００５」を求めた最小ロス量導出部１８００は、関連成分のロス量を求める（ステップＳ３３）。まず、成分変動値テーブル１５１０に登録されている最初のレコードの関連成分のロス量を求める。
【０１４５】
詳細には、例えば、図９の成分変動値テーブル１５１０の最初のレコードは、関連成分１５１１として「Ｃ」が設定されているので、関連成分「Ｃ」のロス量を求める。成分変動値テーブル１５１０を参照すると、「Ｐ」が「＋０．００１」変更されると、「Ｃ」は「＋０．０１０」変動することから、「Ｃ」の変動量は、（＋０．００５／＋０．００１）×＋０．０１０＝＋０．０５０となる。従って、新しい「Ｃ」の成分値は、その関連成分の前の目標値「０．３００」に変動量「＋０．０５０」を加算した「０．３５０」となる。そして、前鋳造品種の「Ｃ」の成分値「０．５００」との差は、０．５００−０．３５０＝＋０．１５となる。ロス量閾値テーブル１４１０を参照すると、成分１４１１が「Ｃ」のレコードにおいて「＋０．１５」が該当する項目は、ロス量閾値（３段階目）１４１４であり、その３段階目のロス量「３０．０ｔ」が、関連成分「Ｃ」のロス量となる。尚、最小ロス量導出部１８００は、現在の段階目における関連成分の段階目を作業メモリに記憶しておくものとする。例えば、現在の段階目「４段階目」において、関連成分「Ｃ」は「３段階目」である旨を記憶しておく。
【０１４６】
次に、最小ロス量導出部１８００は、関連成分のロス量（段階目）が、ボトルネック成分のロス量（現在の段階目）より大きくないか否かを判断する（ステップＳ３４）。すなわち、ロス量が増えないこと、言い換えれば、ボトルネック成分が変わらないことを確認する。
【０１４７】
例えば、現在の段階目「４段階目」がボトルネック成分の段階目であり、関連成分「Ｃ」の段階目が「３段階目」である場合は、ボトルネック成分のロス量は「４０．０ｔ」であり、関連成分「Ｃ」のロス量は「３０．０ｔ」であるので、関連成分のロス量（段階目）が、ボトルネック成分のロス量（現在の段階目）より大きくないと判断する。
【０１４８】
関連成分のロス量（段階目）が、ボトルネック成分のロス量（現在の段階目）より大きいと判断した場合（ステップＳ３４：ＮＯ）、最小ロス量導出部１８００は、現在の段階目よりも１つ上げた段階目を、ボトルネック成分の段階目として決定し（ステップＳ３６）、処理を終了する。
【０１４９】
一方、関連成分のロス量（段階目）が、ボトルネック成分のロス量（現在の段階目）より大きくないと判断した場合（ステップＳ３４：ＹＥＳ）、最小ロス量導出部１８００は、成分変動値テーブル１５１０に次のレコードが登録されている場合には（ステップＳ３５：ＮＯ）、ステップＳ３３〜ステップＳ３５の処理を繰り返す。
【０１５０】
成分変動値テーブル１５１０に登録されている全レコード、すなわち、すべての関連成分についてステップＳ３３〜ステップＳ３５の処理を行った場合には（ステップＳ３５：ＹＥＳ）、最小ロス量導出部１８００は、現在の段階目を更に１段階下げて、ステップＳ３０〜ステップＳ３５までの処理を繰り返す。例えば、更に１段階引き下げて３段階目にした場合は、目標値を０．０３５(％)から０．０４０(％)に変更することとなるが、０．０４０(％)は照準可能範囲値外であるため、もう１段階(３段階目)への引き下げは不可であることとなる。
【０１５１】
ステップＳ３６において、ボトルネック成分の段階目を決定した最小ロス量導出部１８００は、最小ロス量導出処理を終了する。
【０１５２】
図１１のステップＳ１７の最小ロス量導出処理を行った最小ロス量導出部１８００は、ボトルネック成分の段階目と、作業メモリから読み出したその段階目のときの関連成分の段階目とを、品種調整関連成分出力部１９００に渡す。
【０１５３】
品種調整関連成分出力部１９００は、渡されたボトルネック成分の段階目と、その段階目のときの関連成分の段階目とから品質調整関連成分テーブル１９１０を作成し、入出力部１００２に出力する。入出力部１００２に品質調整関連成分テーブル１９１０を出力することで作業者は、ロス量閾値を何段階引き下げることが可能であるか、その時の関連成分はどの段階なのかを知ることができる。すなわち、作業者は、ロス量を削減するネックとなる部分を容易に判断できることが可能になり、設備状況や鋳造方式の違い等に応じて、その対処を行うことが可能となる。結果、成分調整に関する生産計画の立案が容易となる。
【０１５４】
尚、最小ロス量導出部１８００は、関連成分のロス量がボトルネック成分のロス量を超えた場合には、その時のボトルネック成分の段数目と関連成分の段数目とを品種調整関連成分出力部１９００に渡し、品種調整関連成分出力部１９００は入出力部１００２に出力することとしてもよい。作業者は、ロス量を削減する際の新たなボトルネックとなり得る成分を容易に知ることができる。
【０１５５】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【符号の説明】
【０１５６】
１０  連続鋳造設備
１１  鋳造機
１２  成分調整設備
１３  取鍋
１０００  生産計画立案装置
１００１  生産計画立案制御部
１００２  入出力部
１１００  成分照準可能範囲値記憶部
１１０１  成分照準可能範囲値記録管理部
１１１０  １１２０  照準可能範囲値テーブル
１２００  成分規格値記憶部
１２０１  成分規格値記録管理部
１２１０  １２２０  成分規格値テーブル
１３００  品種成分値記憶部
１３０１  品種成分値記録管理部
１３１０  品種成分テーブル
１４００  ロス量閾値記憶部
１４０１  ロス量閾値記録管理部
１４１０  ロス量閾値テーブル
１５００  成分変動値記憶部
１５０１  成分変動値記録管理部
１５１０  成分変動値テーブル
１６００  ボトルネック成分導出部
１７００  品種調整成分出力部
１８００  最小ロス量導出部
１９００  品種調整関連成分出力部
１９１０  品質調整関連成分テーブル
【図１】
0005622684.tif 000002
【図２】
0005622684.tif 000003
【図３】
0005622684.tif 000004
【図４】
0005622684.tif 000005
【図５】
0005622684.tif 000006
【図６】
0005622684.tif 000007
【図７】
0005622684.tif 000008
【図８】
0005622684.tif 000009
【図９】
0005622684.tif 000010
【図１０】
0005622684.tif 000011
【図１１】
0005622684.tif 000012
【図１２】
0005622684.tif 000013
【図１３】
0005622684.tif 000014